【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
生体認証を行うシステムであって、
入力インターフェイスより、認証対象となるユーザのユーザＩＤを含む認証要求受け付ける要求受付部と、
生体情報取得装置に対して前記ユーザの生体情報の読取りを指示し、当該生体情報取得装置より読取り生体情報を取得する、生体情報取得部と、
入力インターフェイスを介し、生体情報の照合箇所ルールについてユーザより受け付ける、照合箇所ルール受付部と、
前記読取り生体情報を所定ルールで区分して複数の照合区画を設定し、前記照合箇所ルールに対応した照合区画を対象照合区画として特定する、照合区画特定部と、
各ユーザの生体情報をユーザＩＤに対応付けて格納した認証情報データベースより、前記ユーザ由来のユーザＩＤに対応する生体情報を抽出し、当該生体情報を前記所定ルールで区分して複数の照合区画を設定し、当該生体情報の照合区画における情報と前記読取り生体情報における対象照合区画の情報とを照合し、認証結果を生成する、照合実施部と、
前記認証結果を出力インターフェイスに出力する出力処理部と、
を備える生体認証システム。
【請求項２】
請求項１において、
前記照合箇所ルール受付部が、前記照合箇所ルールとしてパスワードをユーザより受け付けるべくパスワード入力欄を提示してパスワード指定を受け付けるものであり、
前記照合区画特定部が、前記照合区画の各々に対し、前記パスワードが含みうる文字または数字を予め設定し、前記パスワードを構成する文字または数字に対応した照合区画を対象照合区画として特定するものである、生体認証システム。
【請求項３】
請求項１または２において、
前記照合箇所ルール受付部が、前記照合箇所ルールとしてユーザＩＤをユーザより受け付けるべくユーザＩＤ入力欄を提示してユーザＩＤ指定を受け付けるものであり、
前記照合区画特定部が、前記照合区画の各々に対し、前記ユーザＩＤが含みうる文字または数字を予め設定し、前記ユーザＩＤを構成する文字または数字に対応した照合区画を対象照合区画として特定するものである、生体認証システム。
【請求項４】
請求項１〜３のいずれかにおいて、
前記照合区画特定部が、所定期間毎または入力インターフェイスから受け付けた指示に応じて、ルール改変のアルゴリズムまたは予め定めたルール群からのルール選択アルゴリズムに従って前記所定ルールを変更して利用するものであり、
前記照合実施部が、前記生体情報を前記変更を行った所定ルールで区分して複数の照合区画を設定するものである、生体認証システム。
【請求項５】
生体認証をコンピュータで実行する方法であって、前記コンピュータが、
入力インターフェイスより、認証対象となるユーザのユーザＩＤを含む認証要求受け付け、
生体情報取得装置に対して前記ユーザの生体情報の読取りを指示し、当該生体情報取得装置より読取り生体情報を取得し、
入力インターフェイスを介し、生体情報の照合箇所ルールについてユーザより受け付け、
前記読取り生体情報を所定ルールで区分して複数の照合区画を設定し、前記照合箇所ルールに対応した照合区画を対象照合区画として特定し、
各ユーザの生体情報をユーザＩＤに対応付けて格納した認証情報データベースより、前記ユーザ由来のユーザＩＤに対応する生体情報を抽出し、当該生体情報を前記所定ルールで区分して複数の照合区画を設定し、当該生体情報の照合区画における情報と前記読取り生体情報における対象照合区画の情報とを照合し、認証結果を生成し、
前記認証結果を出力インターフェイスに出力する、生体認証方法。
【請求項６】
生体認証プログラムであって、
入力インターフェイスより、認証対象となるユーザのユーザＩＤを含む認証要求受け付けるステップと、
生体情報取得装置に対して前記ユーザの生体情報の読取りを指示し、当該生体情報取得装置より読取り生体情報を取得するステップと、
入力インターフェイスを介し、生体情報の照合箇所ルールについてユーザより受け付けるステップと、
前記読取り生体情報を所定ルールで区分して複数の照合区画を設定し、前記照合箇所ルールに対応した照合区画を対象照合区画として特定するステップと、
各ユーザの生体情報をユーザＩＤに対応付けて格納した認証情報データベースより、前記ユーザ由来のユーザＩＤに対応する生体情報を抽出し、当該生体情報を前記所定ルールで区分して複数の照合区画を設定し、当該生体情報の照合区画における情報と前記読取り生体情報における対象照合区画の情報とを照合し、認証結果を生成するステップと、
前記認証結果を出力インターフェイスに出力するステップと、
をコンピュータに実行させる生体認証プログラム。
【手続補正２】
【補正対象書類名】明細書
【補正対象項目名】０００７
【補正方法】変更
【補正の内容】
【０００７】
上記課題を解決する本発明の生体認証システムは、生体認証を行うシステムであって、入力インターフェイスより、認証対象となるユーザのユーザＩＤを含む認証要求受け付ける要求受付部と、生体情報取得装置に対して前記ユーザの生体情報の読取りを指示し、当該生体情報取得装置より読取り生体情報を取得する、生体情報取得部と、入力インターフェイスを介し、生体情報の照合箇所ルールについてユーザより受け付ける、照合箇所ルール受付部と、前記読取り生体情報を所定ルールで区分して複数の照合区画を設定し、前記照合箇所ルールに対応した照合区画を対象照合区画として特定する、照合区画特定部と、各ユーザの生体情報をユーザＩＤに対応付けて格納した認証情報データベースより、前記ユーザ由来のユーザＩＤに対応する生体情報を抽出し、当該生体情報を前記所定ルールで区分して複数の照合区画を設定し、当該生体情報の照合区画における情報と前記読取り生体情報における対象照合区画の情報とを照合し、認証結果を生成する、照合実施部と、前記認証結果を出力インターフェイスに出力する出力処理部と、を備える。
【手続補正３】
【補正対象書類名】明細書
【補正対象項目名】００１１
【補正方法】変更
【補正の内容】
【００１１】
また、本発明の生体認証方法は、生体認証をコンピュータで実行する方法であって、前記コンピュータが、入力インターフェイスより、認証対象となるユーザのユーザＩＤを含む認証要求受け付け、生体情報取得装置に対して前記ユーザの生体情報の読取りを指示し、当該生体情報取得装置より読取り生体情報を取得し、入力インターフェイスを介し、生体情報の照合箇所ルールについてユーザより受け付け、前記読取り生体情報を所定ルールで区分して複数の照合区画を設定し、前記照合箇所ルールに対応した照合区画を対象照合区画として特定し、各ユーザの生体情報をユーザＩＤに対応付けて格納した認証情報データベースより、前記ユーザ由来のユーザＩＤに対応する生体情報を抽出し、当該生体情報を前記所定ルールで区分して複数の照合区画を設定し、当該生体情報の照合区画における情報と前記読取り生体情報における対象照合区画の情報とを照合し、認証結果を生成し、前記認証結果を出力インターフェイスに出力することを特徴とする。
【手続補正４】
【補正対象書類名】明細書
【補正対象項目名】００１２
【補正方法】変更
【補正の内容】
【００１２】
また、本発明の生体認証プログラムは、入力インターフェイスより、認証対象となるユーザのユーザＩＤを含む認証要求受け付けるステップと、生体情報取得装置に対して前記ユーザの生体情報の読取りを指示し、当該生体情報取得装置より読取り生体情報を取得するステップと、入力インターフェイスを介し、生体情報の照合箇所ルールについてユーザより受け付けるステップと、前記読取り生体情報を所定ルールで区分して複数の照合区画を設定し、前記照合箇所ルールに対応した照合区画を対象照合区画として特定するステップと、各ユーザの生体情報をユーザＩＤに対応付けて格納した認証情報データベースより、前記ユーザ由来のユーザＩＤに対応する生体情報を抽出し、当該生体情報を前記所定ルールで区分して複数の照合区画を設定し、当該生体情報の照合区画における情報と前記読取り生体情報における対象照合区画の情報とを照合し、認証結果を生成するステップと、前記認証結果を出力インターフェイスに出力するステップと、をコンピュータに実行させるものであることを特徴とする。